(57)【要約】  本開示は、通信方法及び関連機器を提供する。この方法において、ネットワーク側機器から送信されたＲＭＳＩを取得する前に、ＰＲＧを初期帯域幅部分で分割することと、前記初期帯域幅部分で前記ネットワーク側機器と通信することとを含む。【選択図】  図２
2021510261.tif 000002
【特許請求の範囲】
【請求項１】
移動通信端末に応用される通信方法において、
ネットワーク側機器から送信されたＲＭＳＩ（Ｒｅｍａｉｎｉｎｇ  Ｍｉｎｉｍｕｍ  Ｓｙｓｔｅｍ  Ｉｎｆｏｒｍａｔｉｏｎ）を取得する前に、ＰＲＧ（Ｐｒｅｃｏｄｉｎｇ  Ｒｅｓｏｕｒｃｅ  Ｂｌｏｃｋ  Ｇｒｏｕｐ）を初期帯域幅部分で分割することと、
前記初期帯域幅部分で前記ネットワーク側機器と通信することと、
を含む、通信方法。
【請求項２】
前記ＲＭＳＩは、前記ネットワーク側機器から前記移動通信端末に対し設定するＣＣ（Ｃｏｍｐｏｎｅｎｔ  Ｃａｒｒｉｅｒ）とＢＷＰ（Ｂａｎｄｗｉｄｔｈ  Ｐａｒｔ）を指示し、
前記ネットワーク側機器から送信された前記ＲＭＳＩを取得した後に、前記ＣＣの開始基準点を起点として、前記ＢＷＰでＰＲＧを分割することを更に含む、請求項１に記載の通信方法。
【請求項３】
前記のＰＲＧを初期帯域幅部分で分割することは、
ＳＳＢ（Ｓｙｎｃｈｒｏｎｉｚａｔｉｏｎ  Ｓｉｇｎａｌ  Ｂｌｏｃｋ）を取得した後に、前記ＳＳＢのうち、プロトコルで予め規定されている第１目標位置を起点として、前記初期帯域幅部分でＰＲＧを分割することを含む、請求項１に記載の通信方法。
【請求項４】
前記第１目標位置は、前記ＳＳＢの最上位置又は最下位置である、請求項３に記載の通信方法。
【請求項５】
前記のＰＲＧを初期帯域幅部分で分割することは、
前記初期帯域幅部分のうち、プロトコルで予め規定されている第２目標位置を起点として、前記初期帯域幅部分でＰＲＧを分割することを含む、請求項１に記載の通信方法。
【請求項６】
前記第２目標位置は、前記初期帯域幅部分の最上位置又は最下位置である、請求項５に記載の通信方法。
【請求項７】
前記のＰＲＧを初期帯域幅部分で分割することは、
ＳＳＢを取得した後に、前記ＳＳＢにより指示されるＲＭＳＩ  ＣＯＲＥＳＥＴ（Ｃｏｎｔｒｏｌ  Ｒｅｓｏｕｒｃｅ  Ｓｅｔ）のうち、プロトコルで予め規定されている第３目標位置を起点として、前記初期帯域幅部分でＰＲＧを分割することを含む、請求項１に記載の通信方法。
【請求項８】
前記第３目標位置は、前記ＲＭＳＩ  ＣＯＲＥＳＥＴの最上位置又は最下位置である、請求項７に記載の通信方法。
【請求項９】
前記のＰＲＧを初期帯域幅部分で分割することは、
ＲＭＳＩ  ＣＯＲＥＳＥＴ情報を取得した後に、前記ＲＭＳＩ  ＣＯＲＥＳＥＴ情報により指示されるＲＭＳＩ  ＰＤＳＣＨ（Ｐｈｙｓｉｃａｌ  Ｄｏｗｎｌｉｎｋ  Ｓｈａｒｅｄ  Ｃｈａｎｎｅｌ）のうち、プロトコルで予め規定されている第４目標位置を起点として、前記初期帯域幅部分でＰＲＧを分割することを含む、請求項１に記載の通信方法。
【請求項１０】
前記第４目標位置は、前記ＲＭＳＩ  ＰＤＳＣＨの最上位置又は最下位置である、請求項９に記載の通信方法。
【請求項１１】
分割された各ＰＲＧのサイズは、物理資源バンドルサイズに等しい、請求項１〜１０のいずれか一項に記載の通信方法。
【請求項１２】
ネットワーク側機器に応用される通信方法において、
ネットワーク側機器から送信されたＲＭＳＩが移動通信端末により受信される前に、ＰＲＧを初期帯域幅部分で分割することと、
前記初期帯域幅部分で前記移動通信端末と通信することと、
を含む、通信方法。
【請求項１３】
前記ＲＭＳＩは、前記ネットワーク側機器から前記移動通信端末に対し設定するＣＣとＢＷＰを指示し、
前記ネットワーク側機器から送信された前記ＲＭＳＩが前記移動通信端末により取得された後に、前記ＣＣの開始基準点を起点として、前記ＢＷＰでＰＲＧを分割することを更に含む、請求項１２に記載の通信方法。
【請求項１４】
前記のＰＲＧを初期帯域幅部分で分割することは、
ＳＳＢを取得した後に、前記ＳＳＢのうち、プロトコルで予め規定されている第１目標位置を起点として、前記初期帯域幅部分でＰＲＧを分割することを含む、請求項１２に記載の通信方法。
【請求項１５】
前記第１目標位置は、前記ＳＳＢの最上位置又は最下位置である、請求項１４に記載の通信方法。
【請求項１６】
前記のＰＲＧを初期帯域幅部分で分割することは、
前記初期帯域幅部分のうち、プロトコルで予め規定されている第２目標位置を起点として、前記初期帯域幅部分でＰＲＧを分割することを含む、請求項１２に記載の通信方法。
【請求項１７】
前記第２目標位置は、前記初期帯域幅部分の最上位置又は最下位置である、請求項１６に記載の通信方法。
【請求項１８】
前記のＰＲＧを初期帯域幅部分で分割することは、
ＳＳＢを取得した後に、前記ＳＳＢにより指示されるＲＭＳＩ  ＣＯＲＥＳＥＴのうち、プロトコルで予め規定されている第３目標位置を起点として、前記初期帯域幅部分でＰＲＧを分割することを含む、請求項１２に記載の通信方法。
【請求項１９】
前記第３目標位置は、前記ＲＭＳＩ  ＣＯＲＥＳＥＴの最上位置又は最下位置である、請求項１８に記載の通信方法。
【請求項２０】
前記のＰＲＧを初期帯域幅部分で分割することは、
ＲＭＳＩ  ＣＯＲＥＳＥＴ情報を取得した後に、前記ＲＭＳＩ  ＣＯＲＥＳＥＴ情報により指示されるＲＭＳＩ  ＰＤＳＣＨのうち、プロトコルで予め規定されている第４目標位置を起点として、前記初期帯域幅部分でＰＲＧを分割することを含む、請求項１２に記載の通信方法。
【請求項２１】
前記第４目標位置は、前記ＲＭＳＩ  ＰＤＳＣＨの最上位置又は最下位置である、請求項２０に記載の通信方法。
【請求項２２】
分割された各ＰＲＧのサイズは、物理資源バンドルサイズに等しい、請求項１２〜２１のいずれか一項に記載の通信方法。
【請求項２３】
ネットワーク側機器から送信されたＲＭＳＩを取得する前に、ＰＲＧを初期帯域幅部分で分割するための第１分割モジュールと、
前記初期帯域幅部分で前記ネットワーク側機器と通信するための第１通信モジュールと、
を含む、移動通信端末。
【請求項２４】
ネットワーク側機器から送信されたＲＭＳＩが移動通信端末により受信される前に、ＰＲＧを初期帯域幅部分で分割するための第３分割モジュールと、
前記初期帯域幅部分で前記移動通信端末と通信するための第３通信モジュールと、
を含む、ネットワーク側機器。
【請求項２５】
プロセッサと、メモリと、前記メモリに記憶され、前記プロセッサで動作するコンピュータプログラムとを含む移動通信端末であって、
前記コンピュータプログラムが前記プロセッサによって実行されると、請求項１〜１１のいずれか１項に記載の通信方法のことが実現される、移動通信端末。
【請求項２６】
プロセッサと、メモリと、前記メモリに記憶され、前記プロセッサで動作するコンピュータプログラムとを含むネットワーク側機器であって、
前記コンピュータプログラムが前記プロセッサによって実行されると、請求項１１〜２２のいずれか１項に記載の通信方法のことが実現される、ネットワーク側機器。
【請求項２７】
コンピュータプログラムが記憶されているコンピュータ読み取り可能な記憶媒体であって、
前記コンピュータプログラムがプロセッサによって実行されると、請求項１〜２２のいずれか１項に記載の通信方法のことが実現される、コンピュータ読み取り可能な記憶媒体。
【発明の詳細な説明】
【技術分野】
【０００１】
本願は、２０１８年１月１１日に中国特許庁に提出された中国特許出願２０１８１００２６２６１．９の優先権を主張し、その全ての内容が援用によりここに取り込まれる。
本開示は、通信技術分野に係り、特に通信方法及び関連機器に係る。
【背景技術】
【０００２】
移動通信端末ＵＥは、ネットワーク側機器にアクセスする際やアイドル状態の際に、ブロードキャスト情報を読み取る必要がある。これらのブロードキャスト情報には、ＲＭＳＩ（Ｒｅｍａｉｎｉｎｇ  Ｍｉｎｉｍｕｍ  Ｓｙｓｔｅｍ  Ｉｎｆｏｒｍａｔｉｏｎ）、ＯＳＩ（Ｏｔｈｅｒ  Ｓｙｓｔｅｍ  Ｉｎｆｏｒｍａｔｉｏｎ）及びページング（Ｐａｇｉｎｇ）情報等が含まれる。ＵＥがＲＭＳＩを取得するまでは、ネットワーク側から得る情報が非常に少なく、ＰＣＩ（Ｐｈｙｓｉｃａｌ  Ｃｅｌｌ  Ｉｄｅｎｔｉｆｉｅｒ）、タイミング（ｔｉｍｉｎｇ、時系列ともいう）などしかない。しかしながら、関連技術のＰＲＧ（Ｐｒｅｃｏｄｉｎｇ  Ｒｅｓｏｕｒｃｅ  Ｂｌｏｃｋ  Ｇｒｏｕｐ）のメッシュ分割は、現在のＣＣ（Ｃｏｍｐｏｎｅｎｔ  Ｃａｒｒｉｅｒ）の開始基準点を起点としているため、移動通信の通信端末がＲＭＳＩを取得するまでは、関連技術のＰＲＧ分割方法によるメッシュ分割ができず、ＲＢ（Ｒｅｓｏｕｒｃｅ  Ｂｌｏｃｋ）の復調性能が比較的低い。
【発明の概要】
【発明が解決しようとする課題】
【０００３】
本開示の実施例は、ＲＢの復調性能が比較的低いという問題を解決する通信方法及び関連機器を提供する。
【課題を解決するための手段】
【０００４】
第１方面において、本開示の実施例は、移動通信端末に応用される通信方法を提供する。
この方法において、
ネットワーク側機器から送信されたＲＭＳＩを取得する前に、ＰＲＧを初期帯域幅部分で分割することと、
前記初期帯域幅部分で前記ネットワーク側機器と通信することと、
を含む。
【０００５】
第２方面において、本開示の実施例は、ネットワーク側機器に応用される通信方法を更に提供する。
この方法において、
ネットワーク側機器から送信されたＲＭＳＩが移動通信端末により受信される前に、ＰＲＧを初期帯域幅部分で分割することと、
前記初期帯域幅部分で前記移動通信端末と通信することと、
を含む。
【０００６】
第３方面において、本開示の実施例は、移動通信端末を更に提供する。
この移動通信端末は、
ネットワーク側機器から送信されたＲＭＳＩを取得する前に、ＰＲＧを初期帯域幅部分で分割するための第１分割モジュールと、
前記初期帯域幅部分で前記ネットワーク側機器と通信するための第１通信モジュールと、
を含む。
【０００７】
第４方面において、本開示の実施例は、ネットワーク側機器を更に提供する。
このネットワーク側機器は、
ネットワーク側機器から送信されたＲＭＳＩが移動通信端末により受信される前に、ＰＲＧを初期帯域幅部分で分割するための第３分割モジュールと、
前記初期帯域幅部分で前記移動通信端末と通信するための第３通信モジュールと、
を含む。
【０００８】
第５方面において、本開示の実施例は、移動通信端末を更に提供する。
この移動通信端末は、
プロセッサと、メモリと、前記メモリに記憶され、前記プロセッサで動作するコンピュータプログラムとを含み、
前記コンピュータプログラムが前記プロセッサによって実行されると、上記通信方法のことが実現される。
【０００９】
第６方面において、本開示の実施例は、ネットワーク側機器を更に提供する。
このネットワーク側機器は、
プロセッサと、メモリと、前記メモリに記憶され、前記プロセッサで動作するコンピュータプログラムとを含み、
前記コンピュータプログラムが前記プロセッサによって実行されると、上記通信方法のことが実現される。
【００１０】
第７方面において、本開示の実施例は、コンピュータプログラムが記憶されているコンピュータ読み取り可能な記憶媒体を更に提供する。
前記コンピュータプログラムがプロセッサによって実行されると、上記通信方法のことが実現される。
【発明の効果】
【００１１】
このように、本開示の実施例において、ネットワーク側機器から送信されたＲＭＳＩを取得する前に、ＰＲＧを初期帯域幅部分で分割する。従って、本開示の実施例によれば、ＲＢの復調性能を向上させる。
【００１２】
本開示の実施例の技術手段をより明確に説明するために、本開示の実施例の説明に必要な図面を簡単に説明する。以下の説明における図面は、本開示の一部の実施例にすぎない。当業者にとって、創造性のある作業をすることなく、これらの図面から他の図面も得られることは、明らかである。
【図面の簡単な説明】
【００１３】
【図１】本開示の実施例の応用可能なネットワーク構造図である。
【図２】本開示の実施例による通信方法のフローチャートその１である。
【図３】本開示の実施例による通信方法のチャネル帯域幅のアーキテクチャ図である。
【図４】本開示の実施例による通信方法のフローチャートその２である。
【図５】本開示の実施例による移動通信端末の構造図その１である。
【図６】本開示の実施例によるネットワーク側機器の構造図その１である。
【図７】本開示の実施例による移動通信端末の構造図その２である。
【図８】本開示の実施例によるネットワーク側機器の構造図その２である。
【発明を実施するための形態】
【００１４】
以下、本開示の実施例の図面を参照しながら、本開示の実施例の技術手段を明確且つ完全的に記載する。明らかに、記載する実施例は、本開示の実施例の一部であり、全てではない。本開示の実施例に基づき、当業者が創造性のある作業をすることなく為しえる全ての他の実施例は、いずれも本開示の保護範囲に属するものである。本願の明細書及び特許請求の範囲における「第１」、「第２」などの用語は、類似対象を区別するために用いられ、必ずしも特定の順序や前後順を表すことに用いられるとは限らない。このように使用されるデータは、適宜に互換可能であり、それにより、ここで記載した本願の実施例は、ここで図示又は記載した順番以外の順番で実施してもよいと理解するべきである。また、「含む」、「有する」及びそれらのあらゆる変形は、非排他的包含を包含することを意図しており、例えば、一連のステップやユニットを含むプロセス、方法、システム、製品又は機器は、明確に列挙されているステップやユニットに限定されず、明確に列挙されていないものや、それらのプロセス、方法、製品又は機器に固有の他のステップやユニットを含んでもよい。また、明細書に用いられる「及び／又は」との用語は、連結対象の少なくとも１つを含む。例えば、Ａ及び／又はＢの場合、Ａのみ、Ｂのみ、ＡとＢの両方の３種類の場合を示す。
【００１５】
図１を参照する。図１は、本開示の実施例の応用可能なネットワーク構造図である。図１に示すように、ユーザ端末ＵＥ（Ｕｓｅｒ  Ｅｑｕｉｐｍｅｎｔ）１１とネットワーク側機器１２が含まれる。ここで、ユーザ端末１１は、携帯電話、タブレットパソコン（Ｔａｂｌｅｔ  Ｐｅｒｓｏｎａｌ  Ｃｏｍｐｕｔｅｒ）、ラップトップ型パソコン（Ｌａｐｔｏｐ  Ｃｏｍｐｕｔｅｒ）、ＰＤＡ（ｐｅｒｓｏｎａｌ  ｄｉｇｉｔａｌ  ａｓｓｉｓｔａｎｔ）、ＭＩＤ（Ｍｏｂｉｌｅ  Ｉｎｔｅｒｎｅｔ  Ｄｅｖｉｃｅ）又はウェアラブルデバイス（Ｗｅａｒａｂｌｅ  Ｄｅｖｉｃｅ）などの端末側機器である。なお、本開示の実施例では、ユーザ端末１１の具体的な種類を限定しない。上記ネットワーク側機器１２は、マクロ基地局、ＬＴＥ  ｅＮＢ、５Ｇ  ＮＲ  ＮＢなどである。ネットワーク側機器１２は、スモール基地局であってもよく、例えば、ＬＰＮ（ｌｏｗ  ｐｏｗｅｒ  ｎｏｄｅ）ｐｉｃｏ、ｆｅｍｔｏなどである。又は、ネットワーク側機器１２は、ＡＰ（ａｃｃｅｓｓ  ｐｏｉｎｔ）であってもよい。基地局は、ＣＵ（ｃｅｎｔｒａｌ  ｕｎｉｔ）及びその管理／制御下の複数のＴＲＰ（Ｔｒａｎｓｍｉｓｓｉｏｎ  Ｒｅｃｅｐｔｉｏｎ  Ｐｏｉｎｔ）からなるネットワークノードであってもよい。なお、本開示の実施例では、ネットワーク側機器１２の具体的な種類を限定しない。本開示の実施例は、例えば５Ｇやその後続の進化型通信システムに応用可能であり、もちろん、それらに限られない。
【００１６】
図２を参照する。図２は、本開示の実施例による通信方法のフローチャートである。図２に示すように、以下のステップを含む。
【００１７】
ステップ２０１において、ネットワーク側機器から送信されたＲＭＳＩを取得する前に、ＰＲＧを初期帯域幅部分（ｉｎｉｔｉａｌ  ＢＷＰ）で分割する。
【００１８】
本開示の実施例による通信方法は、主に移動通信端末に応用され、移動通信端末とネットワーク側機器との通信を制御することに用いられる。
【００１９】
具体的には、ネットワーク側機器からＳＳＢ（Ｓｙｎｃｈｒｏｎｉｚａｔｉｏｎ  Ｓｉｇｎａｌ  Ｂｌｏｃｋ）をブロードキャストし、移動通信端末は、このＳＳＢを取得すると、このＳＳＢに基づいて、ＳＳＢにより指示される初期帯域幅部分でＰＲＧを分割する。なお、ＰＲＧの分割方式は、実際の必要性に応じて設定されてもよいが、例えばＳＳＢの位置に基づいてＰＲＧを分割してもよく、ＳＳＢの情報に基づいて他の関連情報を取得してＰＲＧを分割してもよい。例えば、ＳＳＢには、初期帯域幅部分の指示情報が搬送されているが、指示情報により決定される初期帯域幅部分の位置に基づいてＰＲＧを分割してもよい。
【００２０】
ここで、上記初期帯域幅部分は、標準として定義されている帯域幅部分であり、例えばＲＡＮ４で定義されている初期帯域幅部分である。
【００２１】
ステップ２０２において、前記初期帯域幅部分で前記ネットワーク側機器と通信する。
【００２２】
ＰＲＧ分割の後、分割されたＰＲＧに基づいて、初期帯域幅部分でネットワーク側機器とデータや制御情報の伝送を行うことができる。
【００２３】
このように、本開示の実施例において、ネットワーク側機器から送信されたＲＭＳＩを取得する前に、ＰＲＧを初期帯域幅部分で分割する。従って、本開示の実施例によれば、ＲＢの復調性能を向上させる。
【００２４】
なお、上記ＲＭＳＩには、前記ネットワーク側機器から前記移動通信端末に対し設定するＣＣとＢＷＰ（Ｂａｎｄｗｉｄｔｈ  Ｐａｒｔ）を指示するための指示情報が含まれる。
前記方法において、前記ネットワーク側機器から送信された前記ＲＭＳＩを取得した後に、ＣＣの開始基準点を起点として、前記ＢＷＰでＰＲＧを分割するステップ２０３と、前記ＢＷＰで前記ネットワーク側機器と通信するステップ２０４とを更に含む。
【００２５】
実施例において、前記ネットワーク側機器から送信された前記ＲＭＳＩを取得した後に、ＣＣの開始基準点を起点として、前記ＢＷＰでＰＲＧを分割することは、従来の標準プロトコルで規定されるＰＲＧ分割規則であり、その具体的な分割方式について、ここではその説明を省略する。
【００２６】
なお、図３に示すように、ネットワーク側機器のチャネル帯域幅（ｃｈａｎｎｅｌ  ｂａｎｄｗｉｄｔｈ）には、最大１６個のＣＣが含まれている。ＣＣの間は、非連続であってもよいが、重なってはならず、複数のＣＣの同時活性化が可能である。各ＣＣは、最大４つのＢＷＰを含む。ＢＷＰの間は、互いに重なってもよく、非連続であってもよく、１つのＣＣ内で１つのＢＷＰのみが活性化される。
【００２７】
ここで、本開示をよりよく理解するために、移動通信端末がＲＭＳＩを取得するまでのフローについて説明する。具体的には、移動通信端末は、まずＳＳＢを取得し、ＳＳＢを取得した後に、ＳＳＢ内の指示情報を復調してＲＭＳＩ  ＣＯＲＥＳＥＴの構成位置を取得する。このＲＭＳＩ  ＣＯＲＥＳＥＴの構成位置は、ＲＭＳＩ  ＣＯＲＥＳＥＴの位置（あるいは初期帯域幅部分の位置）などを含む。ＲＭＳＩ  ＣＯＲＥＳＥＴの構成情報から、まずＲＭＳＩ  ＣＯＲＥＳＥＴ情報を受信する。このＲＭＳＩ  ＣＯＲＥＳＥＴ情報には、ＲＭＳＩ  ＰＤＳＣＨの構成情報を指示するための指示情報が搬送される。ＲＭＳＩ  ＰＤＳＣＨの指示情報を取得した後に、ＲＭＳＩ  ＰＤＳＣＨの指示情報からＲＭＳＩ  ＰＤＳＣＨを受信し、ＲＭＳＩ  ＰＤＳＣＨでＲＭＳＩを受信し復調する。
【００２８】
以上のＲＭＳＩを取得するフローに基づき、ＲＭＳＩを取得する前にＰＲＧを分割する方式及びタイミングは、実際の必要性に応じて設定されるため、以下に詳細に説明する。
【００２９】
実施形態１において、ＳＳＢの位置に基づいてＰＲＧを分割する。
具体的には、上記のＰＲＧを初期帯域幅部分で分割することは、
ＳＳＢを取得した後に、前記ＳＳＢのうち、プロトコルで予め規定されている第１目標位置を起点として、前記初期帯域幅部分でＰＲＧを分割することを含む。
【００３０】
ここで、プロトコルでは、ＳＳＢ内の任意の位置を第１目標位置として規定してもよい。例えば、この第１目標位置は、前記ＳＳＢの最上位置又は最下位置である。通常、最上位置とは、あるリソースブロックのサブキャリアの最上のインデックス位置であり、最下位置とは、あるリソースブロックのサブキャリアの最下のインデックス位置である。本実施例において、第１目標位置は、ＳＳＢのリソースブロックのサブキャリアの最上インデックス位置又は最下インデックス位置である。
【００３１】
実施形態２において、初期帯域幅部分の位置に基づいてＰＲＧを分割する。
具体的には、上記のＰＲＧを初期帯域幅部分で分割することは、
前記初期帯域幅部分のうち、プロトコルで予め規定されている第２目標位置を起点として、前記初期帯域幅部分でＰＲＧを分割することを含む。
【００３２】
ここで、プロトコルでは、初期帯域幅部分の任意の位置を第２目標位置として規定してもよい。例えば、この第２目標位置は、前記初期帯域幅部分の最上位置又は最下位置である。本実施例において、第２目標位置は、初期帯域幅部分のリソースブロックのサブキャリアの最上インデックス位置又は最下インデックス位置である。
【００３３】
実施形態３において、ＲＭＳＩ  ＣＯＲＥＳＥＴの位置に基づいてＰＲＧを分割する。
具体的には、上記のＰＲＧを初期帯域幅部分で分割することは、
ＳＳＢを取得した後に、前記ＳＳＢにより指示されるＲＭＳＩ  ＣＯＲＥＳＥＴのうち、プロトコルで予め規定されている第３目標位置を起点として、前記初期帯域幅部分でＰＲＧを分割することを含む。
【００３４】
ここで、プロトコルでは、ＲＭＳＩ  ＣＯＲＥＳＥＴの任意の位置を第３目標位置として規定してもよい。例えば、この第３目標位置は、前記ＲＭＳＩ  ＣＯＲＥＳＥＴの最上位置又は最下位置である。本実施例において、第３目標位置は、前記ＲＭＳＩ  ＣＯＲＥＳＥＴのリソースブロックのサブキャリアの最上インデックス位置又は最下インデックス位置である。
【００３５】
実施形態４において、ＲＭＳＩ  ＰＤＳＣＨの位置に基づいてＰＲＧを分割する。
具体的には、上記のＰＲＧを初期帯域幅部分で分割することは、
ＲＭＳＩ  ＣＯＲＥＳＥＴ情報を取得した後に、前記ＲＭＳＩ  ＣＯＲＥＳＥＴ情報により指示されるＲＭＳＩ  ＰＤＳＣＨのうち、プロトコルで予め規定されている第４目標位置を起点として、前記初期帯域幅部分でＰＲＧを分割することを含む。
【００３６】
ここで、プロトコルでは、ＲＭＳＩ  ＰＤＳＣＨの任意の位置を第４目標位置として規定してもよい。例えば、この第４目標位置は、前記ＲＭＳＩ  ＰＤＳＣＨの最上位置又は最下位置である。本実施例において、第４目標位置は、前記ＲＭＳＩ  ＰＤＳＣＨのリソースブロックのサブキャリアの最上インデックス位置又は最下インデックス位置である。
【００３７】
なお、上記４つの実施形態は、ＳＳＢを取得した後に単独で実施してもよいし、ＳＳＢを取得した後に組み合わせて実施してもよい。例えば、上記実施形態４を実施形態１〜３のいずれかと組み合わせて実施してもよい。すなわち、移動通信端末がＲＭＳＩを取得する前にＰＲＧの分割を２回行い、ＲＭＳＩ  ＣＯＲＥＳＥＴ情報を取得する前にＰＲＧを実施形態１〜３のいずれかで分割し、ＲＭＳＩ  ＣＯＲＥＳＥＴ情報を取得した後にＰＲＧを実施形態４で分割する。
【００３８】
なお、ＰＲＧを分割する際、分割された各ＰＲＧのサイズは、物理資源バンドルサイズ（ＰＲＢ  ｂｕｎｄｌｅ  ｓｉｚｅ）の値と等しい。この物理資源バンドルサイズは、移動通信端末が受信したリソースを周波数領域でプリコーディングする（ｐｒｅｃｏｄｉｎｇ）バンドルの粒度を推定するサイズを示す。この物理資源バンドルサイズは、プロトコルにより予め規定されてもよいし、ネットワーク側機器により構成されていてもよいが、ここでは更に限定しない。
【００３９】
なお、本開示の実施例で紹介された多様な選択的な実施形態は、互いに結合して実現されてもよく、又は個別に実現されてもよいが、本開示の実施例は、これに対し限定しない。
【００４０】
図４を参照する。本開示は、通信方法を更に提供する。
図４に示すように、この通信方法は、以下のステップを含む。
【００４１】
ステップ４０１において、ネットワーク側機器から送信されたＲＭＳＩが移動通信端末により受信される前に、ＰＲＧを初期帯域幅部分で分割する。
【００４２】
本開示の実施例による通信方法は、主にネットワーク側機器に応用され、ネットワーク側機器と移動通信端末との通信を制御することに用いられる。
【００４３】
具体的には、ネットワーク側機器からＳＳＢをブロードキャストし、移動通信端末は、このＳＳＢを取得すると、このＳＳＢに基づいて、ＳＳＢにより指示される初期帯域幅部分でＰＲＧを分割する。なお、ＰＲＧの分割方式は、実際の必要性に応じて設定されてもよいが、例えばＳＳＢの位置に基づいてＰＲＧを分割してもよく、ＳＳＢの情報に基づいて他の関連情報を取得してＰＲＧを分割してもよい。例えば、ＳＳＢには、初期帯域幅部分の指示情報が搬送されているが、指示情報により決定される初期帯域幅部分の位置に基づいてＰＲＧを分割してもよい。
【００４４】
ここで、上記初期帯域幅部分は、標準として定義されている帯域幅部分であり、例えばＲＡＮ４で定義されている初期帯域幅部分である。
【００４５】
ステップ４０２において、前記初期帯域幅部分で前記移動通信端末と通信する。
【００４６】
ＰＲＧ分割の後、分割されたＰＲＧに基づいて、初期帯域幅部分で移動通信端末とデータや制御情報の伝送を行うことができる。
【００４７】
このように、本開示の実施例において、ネットワーク側機器から送信されたＲＭＳＩを取得する前に、ＰＲＧを初期帯域幅部分で分割する。従って、本開示の実施例によれば、ＲＢの復調性能を向上させる。
【００４８】
なお、上記ＲＭＳＩには、前記ネットワーク側機器から前記移動通信端末に対し設定するＣＣとＢＷＰを指示するための指示情報が含まれる。
前記方法において、
前記ネットワーク側機器から送信された前記ＲＭＳＩが前記移動通信端末により取得された後に、ＣＣの開始基準点を起点として、前記ＢＷＰでＰＲＧを分割するステップ４０３と、
前記ＢＷＰで前記移動通信端末と通信するステップ４０４とを更に含む。
【００４９】
実施例において、前記ネットワーク側機器から送信された前記ＲＭＳＩを取得した後に、ＣＣの開始基準点を起点として、前記ＢＷＰでＰＲＧを分割することは、従来の標準プロトコルで規定されるＰＲＧ分割規則であり、その具体的な分割方式について、ここではその説明を省略する。
【００５０】
なお、図３に示すように、ネットワーク側機器のチャネル帯域幅（ｃｈａｎｎｅｌ  ｂａｎｄｗｉｄｔｈ）には、最大１６個のＣＣが含まれている。ＣＣの間は、非連続であってもよいが、重なってはならず、複数のＣＣの同時活性化が可能である。各ＣＣは、最大４つのＢＷＰを含む。ＢＷＰの間は、互いに重なってもよく、非連続であってもよく、１つのＣＣ内で１つのＢＷＰのみが活性化される。
【００５１】
ここで、本開示をよりよく理解するために、移動通信端末がＲＭＳＩを取得するまでのフローについて説明する。具体的には、移動通信端末は、まずＳＳＢを取得し、ＳＳＢを取得した後に、ＳＳＢ内の指示情報を復調してＲＭＳＩ  ＣＯＲＥＳＥＴの構成位置を取得する。このＲＭＳＩ  ＣＯＲＥＳＥＴの構成位置は、ＲＭＳＩ  ＣＯＲＥＳＥＴの位置（あるいは初期帯域幅部分の位置）などを含む。ＲＭＳＩ  ＣＯＲＥＳＥＴの構成情報から、まずＲＭＳＩ  ＣＯＲＥＳＥＴ情報を受信する。このＲＭＳＩ  ＣＯＲＥＳＥＴ情報には、ＲＭＳＩ  ＰＤＳＣＨの構成情報を指示するための指示情報が搬送される。ＲＭＳＩ  ＰＤＳＣＨの指示情報を取得した後に、ＲＭＳＩ  ＰＤＳＣＨの指示情報からＲＭＳＩ  ＰＤＳＣＨを受信し、ＲＭＳＩ  ＰＤＳＣＨでＲＭＳＩを受信し復調する。
【００５２】
以上のＲＭＳＩを取得するフローに基づき、ＲＭＳＩを取得する前にＰＲＧを分割する方式及びタイミングは、実際の必要性に応じて設定されるため、以下に詳細に説明する。
【００５３】
実施形態１において、ＳＳＢの位置に基づいてＰＲＧを分割する。
具体的には、上記のＰＲＧを初期帯域幅部分で分割することは、
ＳＳＢを取得した後に、前記ＳＳＢのうち、プロトコルで予め規定されている第１目標位置を起点として、前記初期帯域幅部分でＰＲＧを分割することを含む。
【００５４】
ここで、プロトコルでは、ＳＳＢ内の任意の位置を第１目標位置として規定してもよい。例えば、この第１目標位置は、前記ＳＳＢの最上位置又は最下位置である。通常、最上位置とは、あるリソースブロックのサブキャリアの最上のインデックス位置であり、最下位置とは、あるリソースブロックのサブキャリアの最下のインデックス位置である。本実施例において、第１目標位置は、ＳＳＢのリソースブロックのサブキャリアの最上インデックス位置又は最下インデックス位置である。
【００５５】
実施形態２において、初期帯域幅部分の位置に基づいてＰＲＧを分割する。
具体的には、上記のＰＲＧを初期帯域幅部分で分割することは、
前記初期帯域幅部分のうち、プロトコルで予め規定されている第２目標位置を起点として、前記初期帯域幅部分でＰＲＧを分割することを含む。本実施例において、第２目標位置は、初期帯域幅部分のリソースブロックのサブキャリアの最上インデックス位置又は最下インデックス位置である。
【００５６】
ここで、プロトコルでは、初期帯域幅部分の任意の位置を第２目標位置として規定してもよい。例えば、この第２目標位置は、前記初期帯域幅部分の最上位置又は最下位置である。
【００５７】
実施形態３において、ＲＭＳＩ  ＣＯＲＥＳＥＴの位置に基づいてＰＲＧを分割する。
具体的には、上記のＰＲＧを初期帯域幅部分で分割することは、
ＳＳＢを取得した後に、前記ＳＳＢにより指示されるＲＭＳＩ  ＣＯＲＥＳＥＴのうち、プロトコルで予め規定されている第３目標位置を起点として、前記初期帯域幅部分でＰＲＧを分割することを含む。
【００５８】
ここで、プロトコルでは、ＲＭＳＩ  ＣＯＲＥＳＥＴの任意の位置を第３目標位置として規定してもよい。例えば、この第３目標位置は、前記ＲＭＳＩ  ＣＯＲＥＳＥＴの最上位置又は最下位置である。本実施例において、第３目標位置は、前記ＲＭＳＩ  ＣＯＲＥＳＥＴのリソースブロックのサブキャリアの最上インデックス位置又は最下インデックス位置である。
【００５９】
実施形態４において、ＲＭＳＩ  ＰＤＳＣＨの位置に基づいてＰＲＧを分割する。
具体的には、上記のＰＲＧを初期帯域幅部分で分割することは、
ＲＭＳＩ  ＣＯＲＥＳＥＴ情報を取得した後に、前記ＲＭＳＩ  ＣＯＲＥＳＥＴ情報により指示されるＲＭＳＩ  ＰＤＳＣＨのうち、プロトコルで予め規定されている第４目標位置を起点として、前記初期帯域幅部分でＰＲＧを分割することを含む。
【００６０】
ここで、プロトコルでは、ＲＭＳＩ  ＰＤＳＣＨの任意の位置を第４目標位置として規定してもよい。例えば、この第４目標位置は、前記ＲＭＳＩ  ＰＤＳＣＨの最上位置又は最下位置である。本実施例において、第４目標位置は、前記ＲＭＳＩ  ＰＤＳＣＨのリソースブロックのサブキャリアの最上インデックス位置又は最下インデックス位置である。
【００６１】
なお、上記４つの実施形態は、ＳＳＢを取得した後に単独で実施してもよいし、ＳＳＢを取得した後に組み合わせて実施してもよい。例えば、上記実施形態４を実施形態１〜３のいずれかと組み合わせて実施してもよい。すなわち、移動通信端末がＲＭＳＩを取得する前にＰＲＧの分割を２回行い、ＲＭＳＩ  ＣＯＲＥＳＥＴ情報を取得する前にＰＲＧを実施形態１〜３のいずれかで分割し、ＲＭＳＩ  ＣＯＲＥＳＥＴ情報を取得した後にＰＲＧを実施形態４で分割する。
【００６２】
なお、ＰＲＧを分割する際、分割された各ＰＲＧのサイズは、物理資源バンドルサイズ（ＰＲＢ  ｂｕｎｄｌｅ  ｓｉｚｅ）の値と等しい。この物理資源バンドルサイズは、移動通信端末が受信したリソースを周波数領域でプリコーディングする（ｐｒｅｃｏｄｉｎｇ）バンドルの粒度を推定するサイズを示す。この物理資源バンドルサイズは、プロトコルにより予め規定されてもよいし、ネットワーク側機器により構成されていてもよいが、ここでは更に限定しない。
【００６３】
なお、本開示の実施例で紹介された多様な代替的な実施形態は、互いに結合して実現されてもよく、又は個別に実現されてもよいが、本開示の実施例は、これに対し限定しない。
【００６４】
図５を参照する。図５は、本開示の実施例による移動通信端末の構造図である。
図５に示すように、移動通信端末は、
ネットワーク側機器から送信されたＲＭＳＩを取得する前に、ＰＲＧを初期帯域幅部分で分割するための第１分割モジュール５０１と、
前記初期帯域幅部分で前記ネットワーク側機器と通信するための第１通信モジュール５０２とを含む。
【００６５】
選択可能に、前記ＲＭＳＩは、前記ネットワーク側機器から前記移動通信端末に対し設定するＣＣとＢＷＰを指示する。
前記移動通信端末は、
前記ネットワーク側機器から送信された前記ＲＭＳＩを取得した後に、前記ＣＣの開始基準点を起点として、前記ＢＷＰでＰＲＧを分割するための第２分割モジュールと、
前記ＢＷＰで前記ネットワーク側機器と通信するための第２通信モジュールとを更に含む。
【００６６】
選択可能に、前記第１分割モジュール５０１は、具体的には、
ＳＳＢを取得した後に、前記ＳＳＢのうち、プロトコルで予め規定されている第１目標位置を起点として、前記初期帯域幅部分でＰＲＧを分割することに用いられる。
【００６７】
選択可能に、前記第１目標位置は、前記ＳＳＢの最上位置又は最下位置である。
【００６８】
選択可能に、前記第１分割モジュール５０１は、具体的には、
前記初期帯域幅部分のうち、プロトコルで予め規定されている第２目標位置を起点として、前記初期帯域幅部分でＰＲＧを分割することに用いられる。
【００６９】
選択可能に、前記第２目標位置は、前記初期帯域幅部分の最上位置又は最下位置である。
【００７０】
選択可能に、前記第１分割モジュール５０１は、具体的には、
ＳＳＢを取得した後に、前記ＳＳＢにより指示されるＲＭＳＩ  ＣＯＲＥＳＥＴのうち、プロトコルで予め規定されている第３目標位置を起点として、前記初期帯域幅部分でＰＲＧを分割することに用いられる。
【００７１】
選択可能に、前記第３目標位置は、前記ＲＭＳＩ  ＣＯＲＥＳＥＴの最上位置又は最下位置である。
【００７２】
選択可能に、前記第１分割モジュール５０１は、具体的には、
ＲＭＳＩ  ＣＯＲＥＳＥＴ情報を取得した後に、前記ＲＭＳＩ  ＣＯＲＥＳＥＴ情報により指示されるＲＭＳＩ  ＰＤＳＣＨのうち、プロトコルで予め規定されている第４目標位置を起点として、前記初期帯域幅部分でＰＲＧを分割することに用いられる。
【００７３】
選択可能に、前記第４目標位置は、前記ＲＭＳＩ  ＰＤＳＣＨの最上位置又は最下位置である。
【００７４】
選択可能に、分割された各ＰＲＧのサイズは、物理資源バンドルサイズに等しい。
【００７５】
本開示の実施例による移動通信端末は、図２〜図３の方法実施例において移動通信端末により実現される各プロセスを実現可能であり、重複を避けるために、ここでは繰り返して記載しない。
【００７６】
図６を参照する。図６は、本開示の実施例によるネットワーク側機器の構造図である。
図６に示すように、ネットワーク側機器は、
ネットワーク側機器から送信されたＲＭＳＩが移動通信端末により受信される前に、ＰＲＧを初期帯域幅部分で分割するための第３分割モジュール６０１と、
前記初期帯域幅部分で前記移動通信端末と通信するための第３通信モジュール６０２とを含む。
【００７７】
選択可能に、前記ＲＭＳＩは、前記ネットワーク側機器から前記移動通信端末に対し設定するＣＣとＢＷＰを指示する。
前記ネットワーク側機器は、
前記ネットワーク側機器から送信された前記ＲＭＳＩが前記移動通信端末により取得された後に、前記ＣＣの開始基準点を起点として、前記ＢＷＰでＰＲＧを分割するための第４分割モジュールと、
前記ＢＷＰで前記移動通信端末と通信するための第４通信モジュールとを更に含む。
【００７８】
選択可能に、前記第３分割モジュール６０１は、具体的には、
ＳＳＢを取得した後に、前記ＳＳＢのうち、プロトコルで予め規定されている第１目標位置を起点として、前記初期帯域幅部分でＰＲＧを分割することに用いられる。
【００７９】
選択可能に、前記第１目標位置は、前記ＳＳＢの最上位置又は最下位置である。
【００８０】
選択可能に、前記初期帯域幅部分のうち、プロトコルで予め規定されている第２目標位置を起点として、前記初期帯域幅部分でＰＲＧを分割する。
【００８１】
選択可能に、前記第２目標位置は、前記初期帯域幅部分の最上位置又は最下位置である。
【００８２】
選択可能に、前記第３分割モジュール６０１は、具体的には、
ＳＳＢを取得した後に、前記ＳＳＢにより指示されるＲＭＳＩ  ＣＯＲＥＳＥＴのうち、プロトコルで予め規定されている第３目標位置を起点として、前記初期帯域幅部分でＰＲＧを分割することに用いられる。
【００８３】
選択可能に、前記第３目標位置は、前記ＲＭＳＩ  ＣＯＲＥＳＥＴの最上位置又は最下位置である。
【００８４】
選択可能に、前記第３分割モジュール６０１は、具体的には、
ＲＭＳＩ  ＣＯＲＥＳＥＴ情報を取得した後に、前記ＲＭＳＩ  ＣＯＲＥＳＥＴ情報により指示されるＲＭＳＩ  ＰＤＳＣＨのうち、プロトコルで予め規定されている第４目標位置を起点として、前記初期帯域幅部分でＰＲＧを分割することに用いられる。
【００８５】
選択可能に、前記第４目標位置は、前記ＲＭＳＩ  ＰＤＳＣＨの最上位置又は最下位置である。
【００８６】
選択可能に、分割された各ＰＲＧのサイズは、物理資源バンドルサイズに等しい。
【００８７】
本開示の実施例によるネットワーク側機器は、図４の方法実施例においてネットワーク側機器により実現される各プロセスを実現可能であり、重複を避けるために、ここでは繰り返して記載しない。
【００８８】
図７は、本開示の各実施例を実現する移動通信端末のハードウェア構造図である。
【００８９】
この移動通信端末７００は、ラジオ周波数ユニット７０１と、ネットワークモジュール７０２と、音声出力ユニット７０３と、入力ユニット７０４と、センサ７０５と、表示ユニット７０６と、ユーザ入力ユニット７０７と、インタフェースユニット７０８と、メモリ７０９と、プロセッサ７１０と、電源７１１などの構成要素を含むが、これらに限定されない。図７に示される移動通信端末の構造は、移動通信端末を限定するものではなく、移動通信端末は、図示されるよりも多い又は少ない構成要素を含むことができ、又は特定の構成要素を組み合わせることができ、又は異なる構成要素の配置を含むことができることを、当業者は理解可能である。本開示の実施例において、移動通信端末は、携帯電話、タブレットパソコン、ノートパソコン、パームトップパソコン、車載端末、ウェアラブルデバイス及び歩数計などを含むが、それらに限定されない。
【００９０】
ここで、プロセッサ７１０は、ネットワーク側機器から送信されたＲＭＳＩを取得する前に、ＰＲＧを初期帯域幅部分で分割することに用いられる。
ラジオ周波数ユニット７０１は、前記初期帯域幅部分で前記ネットワーク側機器と通信することに用いられる。
【００９１】
選択可能に、前記ＲＭＳＩは、前記ネットワーク側機器から前記移動通信端末に対し設定するＣＣとＢＷＰを指示する。プロセッサ７１０は、更に、前記ネットワーク側機器から送信された前記ＲＭＳＩを取得した後に、ＣＣの開始基準点を起点として、前記ＢＷＰでＰＲＧを分割することに用いられる。
ラジオ周波数ユニット７０１は、更に、前記ＢＷＰで前記ネットワーク側機器と通信することに用いられる。
【００９２】
選択可能に、プロセッサ７１０は、具体的には、
ＳＳＢを取得した後に、前記ＳＳＢのうち、プロトコルで予め規定されている第１目標位置を起点として、前記初期帯域幅部分でＰＲＧを分割することに用いられる。
【００９３】
選択可能に、前記第１目標位置は、前記ＳＳＢの最上位置又は最下位置である。
【００９４】
選択可能に、プロセッサ７１０は、具体的には、
前記初期帯域幅部分のうち、プロトコルで予め規定されている第２目標位置を起点として、前記初期帯域幅部分でＰＲＧを分割することに用いられる。
【００９５】
選択可能に、前記第２目標位置は、前記初期帯域幅部分の最上位置又は最下位置である。
【００９６】
選択可能に、プロセッサ７１０は、具体的には、
ＳＳＢを取得した後に、前記ＳＳＢにより指示されるＲＭＳＩ  ＣＯＲＥＳＥＴのうち、プロトコルで予め規定されている第３目標位置を起点として、前記初期帯域幅部分でＰＲＧを分割することに用いられる。
【００９７】
選択可能に、前記第３目標位置は、前記ＲＭＳＩ  ＣＯＲＥＳＥＴの最上位置又は最下位置である。
【００９８】
選択可能に、プロセッサ７１０は、具体的には、
ＲＭＳＩ  ＣＯＲＥＳＥＴ情報を取得した後に、前記ＲＭＳＩ  ＣＯＲＥＳＥＴ情報により指示されるＲＭＳＩ  ＰＤＳＣＨのうち、プロトコルで予め規定されている第４目標位置を起点として、前記初期帯域幅部分でＰＲＧを分割することに用いられる。
【００９９】
選択可能に、前記第４目標位置は、前記ＲＭＳＩ  ＰＤＳＣＨの最上位置又は最下位置である。
【０１００】
選択可能に、分割された各ＰＲＧのサイズは、物理資源バンドルサイズに等しい。
【０１０１】
このように、本開示の実施例において、ネットワーク側機器から送信されたＲＭＳＩを取得する前に、ＰＲＧを初期帯域幅部分で分割する。従って、本開示の実施例によれば、ＲＢの復調性能を向上させる。
【０１０２】
なお、本開示の実施例において、ラジオ周波数ユニット７０１は、情報の送受信又は通話中で信号の送受信に用いられ、具体的に、基地局からのダウンリンクデータを受信した後、プロセッサ７１０による処理に供し、また、アップリンクデータを基地局に送信する。一般に、ラジオ周波数ユニット７０１は、アンテナ、少なくとも１つの増幅器、トランシーバ、結合器、低雑音増幅器、デュプレクサなどを含むが、それらに限定されない。また、ラジオ周波数ユニット７０１は、無線通信システムを介してネットワークや他の機器と通信を行うこともできる。
【０１０３】
移動通信端末は、ネットワークモジュール７０２を介して、電子メールの送受信、ウェブページの閲覧、ストリーミングメディアへのアクセスを支援するなど、無線ブロードバンドインターネットアクセスをユーザに提供する。
【０１０４】
音声出力ユニット７０３は、ラジオ周波数ユニット７０１やネットワークモジュール７０２が受信した音声データや、メモリ７０９に記憶された音声データを音声信号に変換して音声として出力することができる。また、音声出力ユニット７０３は、移動通信端末７００が実行する特定の機能に関する音声（例えば、呼出信号着信音、メッセージ着信音等）を出力してもよい。音声出力ユニット７０３は、スピーカ、ブザー及びレシーバなどを含む。
【０１０５】
入力ユニット７０４は、音声や映像の信号を受信することに用いられる。入力ユニット７０４は、ビデオキャプチャモード又は画像キャプチャモードでカメラなどの画像キャプチャ装置によって取得された静止画又は動画の画像データを処理するグラフィックスプロセッサＧＰＵ（Ｇｒａｐｈｉｃｓ  Ｐｒｏｃｅｓｓｉｎｇ  Ｕｎｉｔ）  ７０４１と、マイク７０４２とを含み得る。処理された画像フレームは、表示ユニット７０６上に表示され得る。グラフィックスプロセッサ７０４１で処理された画像フレームは、メモリ７０９（又は他の記憶媒体）に記憶されるか、又はラジオ周波数ユニット７０１又はネットワークモジュール７０２を介して送信され得る。マイク７０４２は、音声を受信し、音声データに加工することができる。処理された音声データは、電話通話モードの場合、ラジオ周波数ユニット７０１を介して移動体通信基地局に送信可能な形式に変換して出力することができる。
【０１０６】
移動通信端末７００は、光センサ、モーションセンサ及び他のセンサのような少なくとも１つのセンサ７０５を更に含む。具体的には、光センサは、周辺光センサ及び近接センサを含む。周辺光センサは、周辺光の明暗に応じて表示パネル７０６１の輝度を調節し、近接センサは、移動通信端末７００が耳に移動したときに表示パネル７０６１及び／又はバックライトを消灯する。モーションセンサの１種として、加速度計センサは、様々な方向（一般的には３軸）の加速度の大きさを検出でき、静止時は重力の大きさ及び方向を検出でき、移動通信端末姿勢の認識（例えば、縦横画面切替、関連ゲーム、磁力計姿勢キャリブレーション）、振動認識関連機能（たとえば、歩数計、ストローク）などに用いることができる。センサ７０５は、指紋センサ、圧力センサ、虹彩センサ、分子センサ、ジャイロスコープ、気圧計、湿度計、温度計、赤外線センサなどを更に含むことができるが、ここでは枚挙しない。
【０１０７】
表示ユニット７０６は、ユーザが入力した情報やユーザに提供した情報を表示するために用いられる。表示ユニット７０６は、液晶ディスプレイＬＣＤ（Ｌｉｑｕｉｄ  Ｃｒｙｓｔａｌ  Ｄｉｓｐｌａｙ）、有機発光ダイオードＯＬＥＤ（Ｏｒｇａｎｉｃ  Ｌｉｇｈｔ−Ｅｍｉｔｔｉｎｇ  Ｄｉｏｄｅ）などからなる表示パネル７０６１を含んでもよい。
【０１０８】
ユーザ入力ユニット７０７は、数字や文字情報の入力を受け付け、ユーザによる移動通信端末の設定や機能制御に関するキー信号の入力を行うことに用いられる。具体的に、ユーザ入力ユニット７０７は、タッチパネル７０７１と、その他の入力装置７０７２とを含む。タッチパネル７０７１は、タッチスクリーンとも呼ばれ、その上又は付近でのユーザのタッチ操作を取得可能である（たとえばユーザが指やスタイラスなどの任意の適切な物体や付属部材を用いたタッチパネル７０７１の上又はタッチパネル７０７１の付近での操作）。タッチパネル７０７１は、タッチ検出装置とタッチコントローラの２つの部分を含みうる。ここで、タッチ検出装置は、ユーザのタッチ方位を検出し、タッチ操作による信号を検出してタッチコントローラに伝達する。タッチコントローラは、タッチ検出装置からのタッチ情報を受信し、それを接点座標に変換してプロセッサ７１０に送り、プロセッサ７１０からの命令を受信して実行する。なお、タッチパネル７０７１は、抵抗膜式、静電容量式、赤外線、表面弾性波など、種々の方式を用いて実現することができる。ユーザ入力ユニット７０７は、タッチパネル７０７１の他に、他の入力装置７０７２を含んでもよい。具体的に、他の入力装置７７２は、物理的なキーボード、機能キー（例えば、音量調節キー、スイッチキーなど）、トラックボール、マウス、レバーを含み得るが、ここでは枚挙しない。
【０１０９】
更に、タッチパネル７０７１は、表示パネル７０６１に重ねられる。タッチパネル７０７１は、その上又はその近くでタッチ操作を検出すると、プロセッサ７１０に送信して、タッチイベントのタイプを決定する。次いで、プロセッサ７１０は、タッチイベントのタイプに応じて、対応する視覚的出力を表示パネル７０６１に提供する。図７では、タッチパネル７０７１と表示パネル７０６１は、独立した２つの部品として移動通信端末の入出力機能を実現するが、実施例によっては、タッチパネル７０７１と表示パネル７０６１を一体化して移動通信端末の入出力機能を実現することもでき、具体的にここでは限定しない。
【０１１０】
インタフェースユニット７０８は、外部装置と移動通信端末７００とを接続するためのインタフェースである。例えば、外部装置は、有線又は無線ヘッドホンポート、外部電源（又はバッテリ充電器）ポート、有線又は無線データポート、メモリカードポート、識別モジュールを有する装置を接続するためのポート、オーディオ入出力（Ｉ／Ｏ）ポート、ビデオＩ／Ｏポート、ヘッドホンポート等を含み得る。インタフェースユニット７０８は、外部装置から入力（たとえば、データ情報、電力など）を受信し、受信した入力を移動通信端末７００内の１つ以上の要素に伝送するために使用されてもよく、又は移動通信端末７００と外部装置との間でデータを伝送するために使用されてもよい。
【０１１１】
メモリ７０９は、ソフトウェアプログラム及び様々なデータを格納するために使用され得る。メモリ７０９は、オペレーティングシステム、少なくとも１つの機能に必要なアプリケーション（たとえば、音声再生機能、画像再生機能など）などを格納することができるプログラム格納領域と、データ格納領域とを主に含んでもよい。データ格納領域は、音声データや電話帳など、携帯電話機の使用に応じて作成されたデータを記憶することができる。更に、メモリ７０９は、高速ランダムアクセスメモリを含んでもよく、少なくとも１つの磁気ディスク記憶装置、フラッシュメモリデバイス、又は他の揮発性固体記憶デバイスなどの不揮発性メモリを含んでもよい。
【０１１２】
プロセッサ７１０は、移動通信端末の制御センタであり、各種インタフェースや回線を用いて移動通信端末全体の各部を接続し、メモリ７０９に格納されたソフトウェアプログラム及び／又はモジュールを実行、メモリ７０９に格納されたデータを呼び出して移動通信端末の各種機能及び処理データを実行し、移動通信端末全体の監視を行う。プロセッサ７１０は、１つ以上の処理ユニットを含んでもよい。選択可能に、プロセッサ７１０は、オペレーティングシステム、ユーザインターフェース及びアプリケーションなどを主に処理するアプリケーションプロセッサと、ワイヤレス通信を主に処理するモデムプロセッサとを統合することができる。上述のモデムプロセッサは、プロセッサ７１０に統合されなくてもよいことが理解される。
【０１１３】
移動通信端末７００は、各構成要素に電力を供給するためのバッテリのような電源７１１を更に含んでもよい。選択可能に、電源７１１は、電源管理システムを介してプロセッサ７１０に論理的に接続されてもよく、電源管理システムを介して充電、放電、及び消費電力管理などを管理する機能を実現してもよい。
【０１１４】
また、移動通信端末７００は、図示しない機能モジュールを更に含んでもよく、ここでの説明は省略する。
【０１１５】
更に、本開示の実施例は、移動通信端末を更に提供する。この移動通信端末は、プロセッサ７１０と、メモリ７０９と、メモリ７０９に記憶されて前記プロセッサ７１０で動作するコンピュータプログラムを含む。このコンピュータプログラムがプロセッサ７１０によって実行されると、上記通信方法の実施例の各プロセスが実現され、かつ同一の技術効果を奏することができるので、重複を避けるために、ここでは繰り返して記載しない。
【０１１６】
図８を参照する。図８は、本開示の実施例によるネットワーク側機器の構造図である。このネットワーク側機器は、上記実施例における通信方法の詳細を実現することができ、同一の効果を奏することもできる。図８に示すように、ネットワーク側機器８００は、プロセッサ８０１と、トランシーバ８０２と、メモリ８０３と、ユーザインターフェース８０４と、バスインタフェースとを含む。
プロセッサ８０１は、メモリ８０３からプログラムを読み取ることによって、ネットワーク側機器から送信されたＲＭＳＩが移動通信端末により受信される前に、ＰＲＧを初期帯域幅部分で分割するプロセスと、前記初期帯域幅部分で前記移動通信端末と通信するプロセスとを実行することに用いられる。
【０１１７】
図８において、バスアーキテクチャは、任意数の相互接続するバスとブリッジを含み、具体的に、プロセッサ８０１をはじめとする１つ又は複数のプロセッサとメモリ８０３をはじめとするメモリの各種類の回路が接続したものである。バスアーキテクチャは、周辺イクイップメント、レギュレーター、電力管理回路などの各種類の他の回路を接続したものであってもよい。これらは、いずれも本分野の公知事項であり、本文においてさらなる記載をしない。バスインタフェースにより、インタフェースが提供される。トランシーバ８０２は、複数の部品であってもよく、即ち送信機と受信機を含み、伝送媒体で他の各種類の装置と通信するユニットとして提供される。ユーザ端末によっては、ユーザインターフェース８０４は、内部接続や外部接続する機器のインタフェースであってもよい。接続する機器は、キーパッド、ディスプレイ、スピーカ、マイクロフォン、ジョイスティックなどを含むが、それらに限られない。
【０１１８】
プロセッサ８０１は、バスアーキテクチャと通常の処理を管理する。メモリ８０３は、プロセッサ８０１による操作実行時に使用されるデータを記憶できる。
【０１１９】
選択可能に、前記ＲＭＳＩは、前記ネットワーク側機器から前記移動通信端末に対し設定するＣＣとＢＷＰを指示する。プログラムがプロセッサ８０１によって実行されると、更に、前記ネットワーク側機器から送信された前記ＲＭＳＩが前記移動通信端末により取得された後に、ＣＣの開始基準点を起点として、前記ＢＷＰでＰＲＧを分割するステップと、前記ＢＷＰで前記移動通信端末と通信するステップとが実現される。
【０１２０】
選択可能に、プログラムがプロセッサ８０１によって実行されると、更に、ＳＳＢを取得した後に、前記ＳＳＢのうち、プロトコルで予め規定されている第１目標位置を起点として、前記初期帯域幅部分でＰＲＧを分割するステップが実現される。
【０１２１】
選択可能に、前記第１目標位置は、前記ＳＳＢの最上位置又は最下位置である。
【０１２２】
選択可能に、プログラムがプロセッサ８０１によって実行されると、更に、前記初期帯域幅部分のうち、プロトコルで予め規定されている第２目標位置を起点として、前記初期帯域幅部分でＰＲＧを分割するステップが実現される。
【０１２３】
選択可能に、前記第２目標位置は、前記初期帯域幅部分の最上位置又は最下位置である。
【０１２４】
選択可能に、プログラムがプロセッサ８０１によって実行されると、更に、ＳＳＢを取得した後に、前記ＳＳＢにより指示されるＲＭＳＩ  ＣＯＲＥＳＥＴのうち、プロトコルで予め規定されている第３目標位置を起点として、前記初期帯域幅部分でＰＲＧを分割するステップが実現される。
【０１２５】
選択可能に、前記第３目標位置は、前記ＲＭＳＩ  ＣＯＲＥＳＥＴの最上位置又は最下位置である。
【０１２６】
選択可能に、プログラムがプロセッサ８０１によって実行されると、更に、ＲＭＳＩ  ＣＯＲＥＳＥＴ情報を取得した後に、前記ＲＭＳＩ  ＣＯＲＥＳＥＴ情報により指示されるＲＭＳＩ  ＰＤＳＣＨのうち、プロトコルで予め規定されている第４目標位置を起点として、前記初期帯域幅部分でＰＲＧを分割するステップが実現される。
【０１２７】
選択可能に、前記第４目標位置は、前記ＲＭＳＩ  ＰＤＳＣＨの最上位置又は最下位置である。
【０１２８】
選択可能に、分割された各ＰＲＧのサイズは、物理資源バンドルサイズに等しい。
【０１２９】
このように、本開示の実施例において、ネットワーク側機器から送信されたＲＭＳＩを取得する前に、ＰＲＧを初期帯域幅部分で分割する。従って、本開示の実施例によれば、ＲＢの復調性能を向上させる。
【０１３０】
本開示の実施例は、コンピュータプログラムが記憶されているコンピュータ読み取り可能な記憶媒体を更に提供する。このコンピュータプログラムがプロセッサによって実行されると、上記通信方法の実施例の各プロセスが実現され、かつ同一の技術効果を奏することができるので、重複を避けるために、ここでは繰り返して記載しない。ここで、前記コンピュータ読み取り可能な記憶媒体は、例えば、ＲＯＭ（Ｒｅａｄ−Ｏｎｌｙ  Ｍｅｍｏｒｙ）、ＲＡＭ（Ｒａｎｄｏｍ  Ａｃｃｅｓｓ  Ｍｅｍｏｒｙ）、磁気ディスク又は光ディスクなど等である。
【０１３１】
本明細書に開示された実施例に記載の各例のユニット及びアルゴリズムのステップが、電子ハードウェア、又はコンピュータソフトウェアと電子ハードウェアの組み合わせによって実現可能であることは、当業者が理解できる。これらの機能がいったいハードウェアによって実行されるか、それともソフトウェアによって実行されるかは、技術手段の特定な応用や設計の制限条件によって決められる。当業者は、各特定な応用に対し、異なる方法によって記載の機能を実現することができるが、これらの実現は、本開示の範囲を超えたものとされるべきではない。
【０１３２】
記載の便利や簡潔化のために、以上記載したシステム、装置及びユニットの具体的な動作プロセスは、前記方法実施例における対応プロセスを参照されたく、ここでは繰り返して記載しない。これは、当業者にとって自明である。
【０１３３】
本願で提供されるいくつかの実施例において、開示された装置及び方法は、他の方式で実施され得ることを理解されたい。以上記載した装置実施例は、単に例示的なものである。例えば、記載したユニットの区分は、単に論理機能の区分であり、実際に実現する際に別の区分方式がある。例えば、複数のユニット又はコンポーネントは、組み合わせてもよく、別のシステムに一体化されてもよく、又は、一部の特徴は、無視されてもよく、又は実行されなくてもよい。また、示されており又は議論されている各構成部分の相互間の結合や直接結合や通信接続は、インタフェース、装置又はユニットを介した間接結合や通信接続であってもよく、電気的、機械的、又は他の形式であってもよい。
【０１３４】
以上個別部品として説明したユニットは、物理的に離間したものであってもよく、そうでなくてもよい。ユニットとして示した部品は、物理ユニットであってもよく、そうでなくてもよい。すなわち、一箇所に位置してもよく、複数のネットワークユニットに位置してもよい。実際の必要に応じてそのうちの一部又はすべてのユニットを選択して本開示の実施例の目的を実現する。
【０１３５】
また、本開示の各実施例における各機能的ユニットは、１つの処理ユニットに一体化されていてもよいし、物理的に別々に設けられていてもよいし、２つ以上が一体化されてもよい。
【０１３６】
前記機能は、ソフトウェア機能ユニットの形式で実現され独立した製品として販売又は使用される場合、コンピュータ読み取り可能な記憶媒体に格納されてもよい。このような理解に基づき、本開示の技術手段の実質的又は従来技術に貢献した部分、又は当該技術手段の部分は、ソフトウェアプロダクトの形式で現れる。当該コンピュータソフトウェアプロダクトは、記憶媒体に記憶され、本開示の各実施例に記載の方法のすべて又は一部のステップをコンピュータ装置（パーソナルコンピュータ、サーバ、又はネットワーク装置であってもよい）に実行させるいくつかの指令を含む。前記記憶媒体は、Ｕディスク、モバイルハードディスク、ＲＯＭ、ＲＡＭ、磁気ディスク又は光ディスクなど、プログラムコードを格納することができる様々な媒体を含む。
【０１３７】
以上の記載は、本開示の具体的な実施形態であるが、本開示の保護範囲は、これらに限定されない。当業者が本開示によって開示されている技術範囲内で容易に想到できる変化や置換は、すべて本開示の保護範囲内に含まれる。よって、本開示の保護範囲は、特許請求の範囲の保護範囲を基準とするべきである。
【図１】
2021510261.tif 000003
【図２】
2021510261.tif 000004
【図３】
2021510261.tif 000005
【図４】
2021510261.tif 000006
【図５】
2021510261.tif 000007
【図６】
2021510261.tif 000008
【図７】
2021510261.tif 000009
【図８】
2021510261.tif 000010
【手続補正書】
【提出日】令和2年7月22日(2020.7.22)
【手続補正２】
【補正対象書類名】特許請求の範囲
【補正対象項目名】全文
【補正方法】変更
【補正の内容】
【特許請求の範囲】
【請求項１】
移動通信端末に応用される通信方法において、
ネットワーク側機器から送信されたＲＭＳＩ（Ｒｅｍａｉｎｉｎｇ  Ｍｉｎｉｍｕｍ  Ｓｙｓｔｅｍ  Ｉｎｆｏｒｍａｔｉｏｎ）を取得する前に、ＰＲＧ（Ｐｒｅｃｏｄｉｎｇ  Ｒｅｓｏｕｒｃｅ  Ｂｌｏｃｋ  Ｇｒｏｕｐ）を初期帯域幅部分で分割することと、
前記初期帯域幅部分で前記ネットワーク側機器と通信することと、
を含む、通信方法。
【請求項２】
前記ＲＭＳＩは、前記ネットワーク側機器から前記移動通信端末に対し設定するＣＣ（Ｃｏｍｐｏｎｅｎｔ  Ｃａｒｒｉｅｒ）とＢＷＰ（Ｂａｎｄｗｉｄｔｈ  Ｐａｒｔ）を指示し、
前記ネットワーク側機器から送信された前記ＲＭＳＩを取得した後に、前記ＣＣの開始基準点を起点として、前記ＢＷＰでＰＲＧを分割することを更に含む、請求項１に記載の通信方法。
【請求項３】
前記のＰＲＧを初期帯域幅部分で分割することは、
ＳＳＢ（Ｓｙｎｃｈｒｏｎｉｚａｔｉｏｎ  Ｓｉｇｎａｌ  Ｂｌｏｃｋ）を取得した後に、前記ＳＳＢのうち、プロトコルで予め規定されている第１目標位置を起点として、前記初期帯域幅部分でＰＲＧを分割すること、
または、
前記初期帯域幅部分のうち、プロトコルで予め規定されている第２目標位置を起点として、前記初期帯域幅部分でＰＲＧを分割すること、
または、
ＲＭＳＩ  ＣＯＲＥＳＥＴ情報を取得した後に、前記ＲＭＳＩ  ＣＯＲＥＳＥＴ情報により指示されるＲＭＳＩ  ＰＤＳＣＨ（Ｐｈｙｓｉｃａｌ  Ｄｏｗｎｌｉｎｋ  Ｓｈａｒｅｄ  Ｃｈａｎｎｅｌ）のうち、プロトコルで予め規定されている第４目標位置を起点として、前記初期帯域幅部分でＰＲＧを分割することを含む、請求項１に記載の通信方法。
【請求項４】
前記第１目標位置は、前記ＳＳＢの最上位置又は最下位置であり、
または、
前記第２目標位置は、前記初期帯域幅部分の最上位置又は最下位置であり、
または、
前記第４目標位置は、前記ＲＭＳＩ  ＰＤＳＣＨの最上位置又は最下位置である、請求項３に記載の通信方法。
【請求項５】
前記のＰＲＧを初期帯域幅部分で分割することは、
ＳＳＢを取得した後に、前記ＳＳＢにより指示されるＲＭＳＩ  ＣＯＲＥＳＥＴ（Ｃｏｎｔｒｏｌ  Ｒｅｓｏｕｒｃｅ  Ｓｅｔ）のうち、プロトコルで予め規定されている第３目標位置を起点として、前記初期帯域幅部分でＰＲＧを分割することを含む、請求項１に記載の通信方法。
【請求項６】
前記第３目標位置は、前記ＲＭＳＩ  ＣＯＲＥＳＥＴの最上位置又は最下位置である、請求項５に記載の通信方法。
【請求項７】
分割された各ＰＲＧのサイズは、物理資源バンドルサイズに等しい、請求項１〜６のいずれか一項に記載の通信方法。
【請求項８】
ネットワーク側機器に応用される通信方法において、
ネットワーク側機器から送信されたＲＭＳＩが移動通信端末により受信される前に、ＰＲＧを初期帯域幅部分で分割することと、
前記初期帯域幅部分で前記移動通信端末と通信することと、
を含む、通信方法。
【請求項９】
前記ＲＭＳＩは、前記ネットワーク側機器から前記移動通信端末に対し設定するＣＣとＢＷＰを指示し、
前記ネットワーク側機器から送信された前記ＲＭＳＩが前記移動通信端末により取得された後に、前記ＣＣの開始基準点を起点として、前記ＢＷＰでＰＲＧを分割することを更に含む、請求項８に記載の通信方法。
【請求項１０】
前記のＰＲＧを初期帯域幅部分で分割することは、
ＳＳＢを取得した後に、前記ＳＳＢのうち、プロトコルで予め規定されている第１目標位置を起点として、前記初期帯域幅部分でＰＲＧを分割すること、
または、
前記初期帯域幅部分のうち、プロトコルで予め規定されている第２目標位置を起点として、前記初期帯域幅部分でＰＲＧを分割すること、
または、
ＲＭＳＩ  ＣＯＲＥＳＥＴ情報を取得した後に、前記ＲＭＳＩ  ＣＯＲＥＳＥＴ情報により指示されるＲＭＳＩ  ＰＤＳＣＨのうち、プロトコルで予め規定されている第４目標位置を起点として、前記初期帯域幅部分でＰＲＧを分割することを含む、請求項８に記載の通信方法。
【請求項１１】
前記第１目標位置は、前記ＳＳＢの最上位置又は最下位置であり、
または、
前記第２目標位置は、前記初期帯域幅部分の最上位置又は最下位置であり、
または、
前記第４目標位置は、前記ＲＭＳＩ  ＰＤＳＣＨの最上位置又は最下位置である、請求項１０に記載の通信方法。
【請求項１２】
前記のＰＲＧを初期帯域幅部分で分割することは、
ＳＳＢを取得した後に、前記ＳＳＢにより指示されるＲＭＳＩ  ＣＯＲＥＳＥＴのうち、プロトコルで予め規定されている第３目標位置を起点として、前記初期帯域幅部分でＰＲＧを分割することを含む、請求項８に記載の通信方法。
【請求項１３】
前記第３目標位置は、前記ＲＭＳＩ  ＣＯＲＥＳＥＴの最上位置又は最下位置である、請求項１２に記載の通信方法。
【請求項１４】
ネットワーク側機器から送信されたＲＭＳＩを取得する前に、ＰＲＧを初期帯域幅部分で分割するための第１分割モジュールと、
前記初期帯域幅部分で前記ネットワーク側機器と通信するための第１通信モジュールと、
を含む、移動通信端末。
【請求項１５】
ネットワーク側機器から送信されたＲＭＳＩが移動通信端末により受信される前に、ＰＲＧを初期帯域幅部分で分割するための第３分割モジュールと、
前記初期帯域幅部分で前記移動通信端末と通信するための第３通信モジュールと、
を含む、ネットワーク側機器。
【国際調査報告】
2021510261.tif 000011
2021510261.tif 000012
2021510261.tif 000013
2021510261.tif 000014